(57)【要約】【課題】洗浄に適した電子体温計用収納ケースを提供する。【解決手段】電子体温計用収納ケースは、内部空間を形成するように長手方向、幅方向及び厚み方向に延在する電子体温計用収納ケースであって、前記内部空間に収納された収納状態の前記電子体温計の少なくとも先端を露出させるように、前記内部空間に対して前記厚み方向の第一端側に配置された天壁と、前記収納状態の前記電子体温計の少なくとも前記先端を露出させるように、前記内部空間に対して前記厚み方向の第二端側に配置された底壁と、前記収納状態の前記電子体温計の少なくとも前記先端を覆うように、前記内部空間に対して前記幅方向の第一端側に配置される右側壁と、前記収納状態の前記電子体温計の少なくとも前記先端を覆うように、前記内部空間に対して前記幅方向の第二端側に配置される左側壁と、を有する。【選択図】図１
2020148546.tif 000002
【特許請求の範囲】
【請求項１】
電子体温計を収納可能な内部空間を形成するように長手方向、幅方向及び厚み方向に延在する電子体温計用収納ケースであって、
前記内部空間に収納された収納状態の前記電子体温計の少なくとも先端を露出させるように、前記内部空間に対して前記厚み方向の第一端側に配置された天壁と、
前記収納状態の前記電子体温計の少なくとも前記先端を露出させるように、前記内部空間に対して前記厚み方向の第二端側に配置された底壁と、
前記収納状態の前記電子体温計の少なくとも前記先端を覆うように、前記内部空間に対して前記幅方向の第一端側に配置され、前記天壁と前記底壁とを連ねる右側壁と、
前記収納状態の前記電子体温計の少なくとも前記先端を覆うように、前記内部空間に対して前記幅方向の第二端側に配置され、前記天壁と前記底壁とを連ねる左側壁と、を有する、電子体温計用収納ケース。
【請求項２】
前記収納状態の前記電子体温計の少なくとも先端を覆うように、前記内部空間に対して前記長手方向の第一端側に配置され、前記右側壁と前記左側壁とを連ねる先端壁を有する、請求項１に記載の電子体温計用収納ケース。
【請求項３】
前記天壁の前記長手方向の第二端と、前記底壁と、前記右側壁及び前記左側壁とが、前記電子体温計の前記先端を前記長手方向の前記第一端側に向かって挿入可能な挿入部を形成している、請求項２に記載の電子体温計用収納ケース。
【請求項４】
前記右側壁及び前記底壁から前記内部空間に向けて膨出する右側膨出部と、
前記左側壁及び前記底壁から前記内部空間に向けて膨出する左側膨出部と、を有し、
前記右側膨出部及び前記左側膨出部が、前記収納状態の前記電子体温計を前記幅方向の両側から挟持する、請求項１〜３のいずれか一項に記載の電子体温計用収納ケース。
【請求項５】
前記天壁が、前記右側膨出部及び前記左側膨出部を露出させるように配置されている、請求項４に記載の電子体温計用収納ケース。
【請求項６】
前記天壁及び前記底壁が、前記収納状態の前記電子体温計を前記厚み方向の両側から挟持する、請求項１〜５のいずれか一項に記載の電子体温計用収納ケース。
【請求項７】
前記底壁の上面に位置するとともに、前記電子体温計が前記長手方向の第二端側に移動することを規制するように前記収納状態の前記電子体温計を係止する係止構造を有する、請求項１〜６のいずれか一項に記載の電子体温計用収納ケース。
【請求項８】
前記内部空間に対して前記厚み方向の第一端側に配置された上側開口と、
前記内部空間に対して前記厚み方向の第二端側に配置された下側開口と、を有し、
前記収納状態の前記電子体温計の少なくとも先端が、前記上側開口と前記下側開口との間に位置する、請求項１〜７のいずれか一項に記載の電子体温計用収納ケース。
【請求項９】
電子体温計と、前記電子体温計を収納可能な内部空間を形成するように長手方向、幅方向及び厚み方向に延在する電子体温計用収納ケースと、を有する電子体温計セットであって、
前記電子体温計用収納ケースが、
前記内部空間に収納された収納状態の前記電子体温計の少なくとも先端を露出させるように、前記内部空間に対して前記厚み方向の第一端側に配置された天壁と、
前記収納状態の前記電子体温計の少なくとも前記先端を露出させるように、前記内部空間に対して前記厚み方向の第二端側に配置された底壁と、
前記収納状態の前記電子体温計の少なくとも前記先端を覆うように、前記内部空間に対して前記幅方向の第一端側に配置され、前記天壁と前記底壁とを連ねる右側壁と、
前記収納状態の前記電子体温計の少なくとも前記先端を覆うように、前記内部空間に対して前記幅方向の第二端側に配置され、前記天壁と前記底壁とを連ねる左側壁と、を有する、電子体温計セット。
【発明の詳細な説明】
【技術分野】
【０００１】
本開示は、電子体温計用収納ケース及び電子体温計セットに関する。
【背景技術】
【０００２】
電子体温計を収納可能な電子体温計用収納ケース（以下、収納ケースともいう）が知られている（例えば、特許文献１参照）。電子体温計を収納ケースに収納することで、電子体温計の特に先端を外部から保護し、破損や故障の発生を抑制することができる。
【先行技術文献】
【特許文献】
【０００３】
【特許文献１】特許第６０１３５９１号公報
【発明の概要】
【発明が解決しようとする課題】
【０００４】
上記のような収納ケースは、衛生状態を確保するために、外部だけでなく内部も、清拭又は浸漬等による消毒又は洗浄等の清浄化作業が容易であることが要求される。
【０００５】
本開示は、このような点に鑑み、清浄化作業が容易な電子体温計用収納ケース及び電子体温計セットを提供することを目的とする。
【課題を解決するための手段】
【０００６】
本発明の第１の態様としての電子体温計用収納ケースは、
電子体温計を収納可能な内部空間を形成するように長手方向、幅方向及び厚み方向に延在する電子体温計用収納ケースであって、
前記内部空間に収納された収納状態の前記電子体温計の少なくとも先端を露出させるように、前記内部空間に対して前記厚み方向の第一端側に配置された天壁と、
前記収納状態の前記電子体温計の少なくとも前記先端を露出させるように、前記内部空間に対して前記厚み方向の第二端側に配置された底壁と、
前記収納状態の前記電子体温計の少なくとも前記先端を覆うように、前記内部空間に対して前記幅方向の第一端側に配置され、前記天壁と前記底壁とを連ねる右側壁と、
前記収納状態の前記電子体温計の少なくとも前記先端を覆うように、前記内部空間に対して前記幅方向の第二端側に配置され、前記天壁と前記底壁とを連ねる左側壁と、を有する。
【０００７】
本発明の１つの実施形態として、前記電子体温計用収納ケースは、前記収納状態の前記電子体温計の少なくとも先端を覆うように、前記内部空間に対して前記長手方向の第一端側に配置され、前記右側壁と前記左側壁とを連ねる先端壁を有する。
【０００８】
本発明の１つの実施形態として、前記電子体温計用収納ケースは、前記天壁の前記長手方向の第二端と、前記底壁と、前記右側壁及び前記左側壁とが、前記電子体温計の前記先端を前記長手方向の前記第一端側に向かって挿入可能な挿入部を形成している。
【０００９】
本発明の１つの実施形態として、前記電子体温計用収納ケースは、
前記右側壁及び前記底壁から前記内部空間に向けて膨出する右側膨出部と、
前記左側壁及び前記底壁から前記内部空間に向けて膨出する左側膨出部と、を有し、
前記右側膨出部及び前記左側膨出部が、前記収納状態の前記電子体温計を前記幅方向の両側から挟持する。
【００１０】
本発明の１つの実施形態として、前記電子体温計用収納ケースは、前記天壁が、前記右側膨出部及び前記左側膨出部を露出させるように配置されている。
【００１１】
本発明の１つの実施形態として、前記電子体温計用収納ケースは、前記天壁及び前記底壁が、前記収納状態の前記電子体温計を前記厚み方向の両側から挟持する。
【００１２】
本発明の１つの実施形態として、前記電子体温計用収納ケースは、前記底壁の上面に位置するとともに、前記電子体温計が前記長手方向の第二端側に移動することを規制するように、前記収納状態の前記電子体温計を係止する係止構造を有する。
【００１３】
本発明の１つの実施形態として、前記電子体温計用収納ケースは、
前記内部空間に対して前記厚み方向の第一端側に配置された上側開口と、
前記内部空間に対して前記厚み方向の第二端側に配置された下側開口と、を有し、
前記収納状態の前記電子体温計の少なくとも先端が、前記上側開口と前記下側開口との間に位置する。
【００１４】
本発明の第２の態様としての電子体温計セットは、
電子体温計と、前記電子体温計を収納可能な内部空間を形成するように長手方向、幅方向及び厚み方向に延在する電子体温計用収納ケースと、を有する電子体温計セットであって、
前記電子体温計用収納ケースが、
前記内部空間に収納された収納状態の前記電子体温計の少なくとも先端を露出させるように、前記内部空間に対して前記厚み方向の第一端側に配置された天壁と、
前記収納状態の前記電子体温計の少なくとも前記先端を露出させるように、前記内部空間に対して前記厚み方向の第二端側に配置された底壁と、
前記収納状態の前記電子体温計の少なくとも前記先端を覆うように、前記内部空間に対して前記幅方向の第一端側に配置され、前記天壁と前記底壁とを連ねる右側壁と、
前記収納状態の前記電子体温計の少なくとも前記先端を覆うように、前記内部空間に対して前記幅方向の第二端側に配置され、前記天壁と前記底壁とを連ねる左側壁と、を有する。
【発明の効果】
【００１５】
本開示によれば、清浄化作業が容易な電子体温計用収納ケース及び電子体温計セットを提供することができる。
【図面の簡単な説明】
【００１６】
【図１】本発明の一実施形態に係る電子体温計セットを電子体温計の収納状態で示す上面図である。
【図２】図１に示す状態の電子体温計セットの右側面図である。
【図３】図１のＡ−Ａ断面図である。
【図４】図１に示す状態の電子体温計セットの底面図である。
【図５】図１に示す状態の電子体温計セットの背面図である。
【図６】図１に示す状態の電子体温計セットの斜視図である。
【図７】図１に示す電子体温計用収納ケースの上面図である。
【図８】図１に示す電子体温計用収納ケースの斜視図である。
【図９】図１に示す電子体温計用収納ケースの他の角度での斜視図である。
【図１０】図１に示す電子体温計用収納ケースの背面図である。
【図１１】図１に示す電子体温計用収納ケースの分解図である。
【図１２】図１に示す電子体温計セットに適用可能な係止構造の第１形態を示す斜視図である。
【図１３】図１２に示す係止構造の他の角度での斜視図である。
【図１４】図１２に示す係止構造を図１のＡ−Ａ断面図に準じて示す断面図である。
【図１５】図１に示す電子体温計セットに適用可能な係止構造の第２形態を示す斜視図である。
【図１６】図１５に示す係止構造の他の角度での斜視図である。
【図１７】図１５に示す係止構造を図１のＡ−Ａ断面図に準じて示す断面図である。
【図１８】図１に示す電子体温計セットに適用可能な係止構造の第３形態を図１のＡ−Ａ断面図に準じて示す断面図である。
【図１９】図１８に示す係止構造を示す底面図である。
【発明を実施するための形態】
【００１７】
以下、図面を参照して、本発明の一実施形態に係る電子体温計用収納ケース及び電子体温計セットについて、詳細に例示説明する。
【００１８】
図１〜図６に示すように、本実施形態に係る電子体温計用収納ケース１（以下、収納ケース１ともいう）は、電子体温計２を収納可能に構成されている。収納ケース１と電子体温計２とで本実施形態に係る電子体温計セット３が構成されている。電子体温計セット３は、収納ケース１と電子体温計２とが一緒に流通等してもよいし、別々に流通等してもよい。
【００１９】
収納ケース１は、電子体温計２を収納可能な内部空間Ｓを形成するように長手方向Ｌ、幅方向Ｗ及び厚み方向Ｔに延在する筐体（収納ケース本体１ａ及び蓋１ｄ）を有する。収納ケース１は、内部空間Ｓに対して厚み方向Ｔの第一端側Ｔ１に配置された天壁４と、内部空間Ｓに対して厚み方向Ｔの第二端側Ｔ２に配置された底壁５と、内部空間Ｓに対して幅方向Ｗの第一端側Ｗ１に配置され、天壁４と底壁５とを連ねる右側壁６と、内部空間Ｓに対して幅方向Ｗの第二端側Ｗ２に配置され、天壁４と底壁５とを連ねる左側壁７と、内部空間Ｓに対して長手方向Ｌの第一端側Ｌ１に配置され、右側壁６と左側壁７とを連ねる先端壁８と、を有している。収納ケース１は、左右対称な形状となっている。収納ケース１は、全体的に、細かい凹凸部が少なく清拭又は浸漬等による消毒又は洗浄等の清浄化作業が容易な滑らかな表面形状を有している。しかし、必要に応じて必要な部分等に適切な形状、大きさ、パターン等の凹凸表面形状（しぼ等）を設けてもよい。
【００２０】
本明細書において、前後方向とは長手方向Ｌを意味し、前側とは長手方向Ｌの第一端側Ｌ１を意味し、後側とは長手方向Ｌの第二端側Ｌ２を意味する。左右方向とは幅方向Ｗを意味し、右側とは幅方向Ｗの第一端側Ｗ１を意味し、左側とは幅方向Ｗの第二端側Ｗ２を意味する。上下方向とは厚み方向Ｔを意味し、上側とは厚み方向Ｔの第一端側Ｔ１を意味し、下側とは厚み方向Ｔの第二端側Ｔ２を意味する。
【００２１】
電子体温計２は、電子体温計２が内部空間Ｓに収納された収納状態において、長手方向Ｌ、幅方向Ｗ及び厚み方向Ｔに延在している。電子体温計２は、収納状態において、電子体温計２の長手方向Ｌの第一端側Ｌ１に、先端部２ｂを有している。先端部２ｂは、センサを内蔵したキャップで構成されている。センサは、例えばサーミスタであってよい。キャップは、例えばステンレス鋼などの金属製であってよい。先端部２ｂの外面は、半球状の先端面と、先端面に連なる円筒状の周面と、からなっている。先端部２ｂの先端面の頂点が、電子体温計２の先端２ａを構成している。先端部２ｂの外面の形状は適宜変更が可能である。
【００２２】
電子体温計２は、先端部２ｂの後端に接続するとともに、電子体温計２の後端まで延在するハウジング２ｃを有している。ハウジング２ｃは、ディスプレイ２ｄが配置される開口を有している。電子体温計２の収納状態において、ディスプレイ２ｄは、ハウジング２ｃの上側に配置されている。しかし、電子体温計２の収納状態において、ディスプレイ２ｄが下側に配置されてもよい。ディスプレイ２ｄには、測定された体温や電池残量等が表示される。ハウジング２ｃは、ハウジング２ｃの先端から後方に向けて幅（幅方向Ｗの長さ）が徐々に拡大する拡大部２ｅと、拡大部２ｅの後端から後方に向けて幅が略一定の一定部２ｆと、一定部２ｆの後端からハウジング２ｃの後端まで幅が徐々に縮小する縮小部２ｇと、を有している。一定部２ｆは、ディスプレイ２ｄの後端より後方に配置されている。一定部２ｆは、ディスプレイ２ｄの後端より前方に配置してもよい。ハウジング２ｃは、左右対称な形状となっている。
【００２３】
拡大部２ｅは、ハウジング２ｃの先端から後方に向けて厚み（厚み方向Ｔの長さ）が徐々に拡大している。一定部２ｆは、拡大部２ｅの後端から後方に向けて厚みが略一定となっている。縮小部２ｇは、一定部２ｆの後端からハウジング２ｃの後端まで厚みが徐々に縮小している。ハウジング２ｃの形状は、適宜変更が可能である。
【００２４】
天壁４は、収納状態の電子体温計２の少なくとも先端２ａを露出させるように配置されている。すなわち、収納ケース１の上面は、天壁４と、天壁４の前側に位置する上側開口１２と、を有する。天壁４は、上側開口１２に隣接している。したがって、収納状態の電子体温計２の先端２ａは、上側開口１２を通じて上側から視認可能である。より具体的には、天壁４は、収納状態の電子体温計２における先端２ａからディスプレイ２ｄの後端部までに亘る部分を露出させるように配置されている。より好ましくは、収納状態の電子体温計２の先端２ａに加えてディスプレイ２ｄの全体が上側から視認可能である。天壁４は、収納状態の電子体温計２におけるディスプレイ２ｄの後端部から一定部２ｆの後端までに亘る部分を覆うように配置されている。天壁４の上面は、平面状をなしている。天壁４の下面は、電子体温計２のハウジング２ｃを接触により保持する形状をなしている。天壁４は、例えば、収納状態の電子体温計２におけるディスプレイ２ｄ及び縮小部２ｇの少なくとも一方を部分的又は全体的に覆うように配置されてもよい。
【００２５】
底壁５は、収納状態の電子体温計２の少なくとも先端２ａを露出させるように配置されている。すなわち、収納ケース１の下面は、底壁５と、底壁５の前側に位置する下側開口１３と、を有する。底壁５は、下側開口１３に隣接している。したがって、収納状態の電子体温計２の先端２ａは、下側開口１３を通じて下側から視認可能である。より具体的には、底壁５は、収納状態の電子体温計２における、先端２ａから拡大部２ｅの前後方向中間部よりやや前側の部分までに亘る部分を露出させるように配置されている。底壁５は、収納状態の電子体温計２における、拡大部２ｅの前後方向中間部よりやや前側の部分から縮小部２ｇの後端付近までに亘る部分を覆うように配置されている。底壁５は、収納状態の電子体温計２における縮小部２ｇの後端付近に配置された開口５ａを形成している。開口５ａには、例えば、病院のベッドなどに取り付け可能なストラップなどを取り付け可能である。底壁５は、開口５ａを形成していなくてもよい。底壁５の底面（下面）は、略平面状をなしている。底壁５の配置及び形状は、電子体温計２のハウジング２ｃの形状等に応じて適宜変更が可能である。
【００２６】
右側壁６は、収納状態の電子体温計２において、少なくとも先端２ａを一方向から覆うように配置されている。したがって、収納状態の電子体温計２の先端２ａは、右側壁６によって右側から保護される。より具体的には、右側壁６は、収納状態の電子体温計２の先端２ａから拡大部２ｅの後端までに亘る部分を覆うように配置されている。したがって、収納状態の電子体温計２における先端２ａを含む当該部分が、右側壁６によって右側から保護される。右側壁６は、上側に向けて僅かに右側に傾く板状をなしている。右側壁６の右側面は、平面状をなしている。右側壁６の上面は、天壁４の上面と面一な平面状をなしている。右側壁６の下面は、底壁５の下面と面一な平面状をなしている。右側壁６の配置及び形状は、電子体温計２のハウジング２ｃの形状等に応じて適宜変更が可能である。右側壁６は、例えば、左右方向と垂直に延在していてもよい。また、右側壁６に開口を設けてもよい。この場合、右側壁６に設けた開口を通じて、電子体温計２の先端２ａが視認可能となっていてもよい。
【００２７】
左側壁７は、収納状態の電子体温計２において、少なくとも先端２ａを一方向から覆うように配置されている。したがって、収納状態の電子体温計２の先端２ａは、左側壁７によって左側から保護される。より具体的には、左側壁７は、収納状態の電子体温計２の先端２ａから拡大部２ｅの後端までに亘る部分を覆うように配置されている。したがって、収納状態の電子体温計２における先端２ａを含む当該部分が、左側壁７によって左側から保護される。先端２ａは、右側壁６及び左側壁７によって、幅方向Ｗにおいて覆われている。左側壁７は、上側に向けて僅かに左側に傾く板状をなしている。左側壁７の左側面は、平面状をなしている。左側壁７の上面は、天壁４の上面と面一な平面状をなしている。左側壁７の下面は、底壁５の下面と面一な平面状をなしている。左側壁７の配置及び形状は、電子体温計２のハウジング２ｃの形状等に応じて適宜変更が可能である。左側壁７は、例えば、左右方向と垂直に延在していてもよい。また、左側壁７に開口を設けてもよい。この場合、左側壁７に設けた開口を通じて、電子体温計２の先端２ａが視認可能となっていてもよい。
【００２８】
先端壁８は、収納状態の電子体温計２の少なくとも先端２ａを前側から覆うように配置されている。したがって、収納状態の電子体温計２の先端２ａは、先端壁８によって前側から保護されている。より具体的には、先端壁８は、収納状態の電子体温計２の全体を覆うように配置されている。したがって、収納状態の電子体温計２の全体が、先端壁８によって前側から保護されている。先端壁８の後面は、収納状態の電子体温計２の先端２ａよりも先端側（前側）に位置している。先端壁８の右側端部には、右側壁６が接続している。先端壁８の左側端部には、左側壁７が接続している。右側壁６及び左側壁７は、それぞれ、幅方向Ｗと略垂直な平面状をなしている。収納状態の電子体温計２の先端２ａは、前側、右側及び左側から収納ケース１の筐体に覆われている。先端壁８は、上側に向けて僅かに前側に傾く板状をなしている。先端壁８の前面は、平面状をなしている。先端壁８の上面は、右側壁６及び左側壁７の上面と面一な平面状をなしている。先端壁８の下面は、右側壁６及び左側壁７の下面と面一な平面状をなしている。先端壁８の配置及び形状は、電子体温計２のハウジング２ｃの形状等に応じて適宜変更が可能である。先端壁８は、例えば、前後方向と垂直に延在していてもよい。
【００２９】
先端壁８と右側壁６との接続部、及び先端壁８と左側壁７との接続部は、それぞれ、上面視円弧状に形成されている。しかし、先端壁８と右側壁６との接続部、及び先端壁８と左側壁７との接続部は、それぞれ、上面視円弧状以外の形状に形成されていてもよい。先端壁８は、先端壁８の後面が収納状態の電子体温計２の先端２ａと離間するように配置されてもよいが、先端壁８の後面が収納状態の電子体温計２の先端２ａと当接するように配置されてもよい。
【００３０】
天壁４、底壁５、右側壁６及び左側壁７は、電子体温計２を先端２ａから長手方向Ｌに挿入可能な挿入部９を形成している。したがって、電子体温計２を先端２ａから挿入部９に、後側から前側に向けて挿入することにより、電子体温計２を内部空間Ｓに収納することができる。また、電子体温計２を挿入部９から後側に抜脱することにより、電子体温計２を内部空間Ｓから抜去することができる。右側壁６の後端縁及び左側壁７の後端縁は、それぞれ、側面視で前側に凸となる円弧状をなしている。また、右側壁６の後端縁及び左側壁７の後端縁は、天壁４及び底壁５の後端縁より前側に配置されている。したがって、電子体温計２を内部空間Ｓから抜去するために、電子体温計２の両側面を容易に摘むことができる。挿入部９は、天壁４、底壁５、右側壁６及び左側壁７の内面で形成された開口である。
【００３１】
天壁４及び底壁５は、収納状態の電子体温計２を厚み方向Ｔの両側から挟持している。天壁４の下面には、上面視円弧状に湾曲する天壁４の前端４ａに沿う位置に、天壁４の下面から滑らかに突出する凸部４ｂを有している。凸部４ｂは、前側（長手方向の第一端側Ｌ１）に向けて厚みが漸増する傾斜面を有している。また、凸部４ｂは、幅方向Ｗの両端部に、天壁４の前端４ａ付近において幅方向Ｗの端部に向けて厚みが漸増する角部４ｃを有している。凸部４ｂは左右対称な形状となっている。一対の角部４ｃは、電子体温計２のディスプレイ２ｄに対する幅方向Ｗの両側で電子体温計２に接触する。天壁４の凸部４ｂは、拡大部２ｅの上面の少なくとも一部に対して面で接触することで電子体温計２を保持する。
【００３２】
底壁５の上面における天壁４と対向する部分には、保持傾斜面５ｂが設けられている。保持傾斜面５ｂは、電子体温計２の形状に沿うように、全面に亘って滑らかな表面形状を有するとともに、挿入部９から、前側に向けて上方に傾斜している。すなわち、保持傾斜面５ｂは、拡大部２ｅから一定部２ｆにかけて電子体温計２の下面形状に沿う形状となっている。天壁４の凸部４ｂと、底壁５の上面における保持傾斜面５ｂとが、収納状態の電子体温計２における拡大部２ｅの後端部に挟み込むように接触することで、摩擦力によって電子体温計２を保持している。凸部４ｂの配置及び形状は、電子体温計２のハウジング２ｃの形状等に応じて適宜変更が可能である。
【００３３】
なお、天壁４の下面は、長手方向Ｌに沿って延在するリブ（梁）を有していない。また、収納ケース１の底壁５の上面は、長手方向Ｌに沿って延在するリブを有していない。内部空間Ｓにおける電子体温計２の位置を長手方向Ｌに延在するリブで規制する場合、長手方向Ｌに沿ってリブの長さを長くする必要がある。このため、リブとリブとの間や、リブが立ち上がる部分に汚れが溜まりやすくなる。さらには、それらの箇所に汚れが溜まったときに、通常医療現場で使用される綿棒やアルコール綿が入りにくい。したがって、その分だけ清浄化作業が難しくなる。このため、天壁４の下面及び底壁５の上面には、長手方向Ｌに沿って延在するリブを設けないことが好ましい。
【００３４】
図７〜図１０に、収納ケース１が電子体温計２を収納していない非収納状態の収納ケース１を示す。図７、図８及び図１０に示すように、収納ケース１は、右側壁６及び底壁５から内部空間Ｓに向けて膨出する右側膨出部１０と、左側壁７及び底壁５から内部空間Ｓに向けて膨出する左側膨出部１１と、を有している。右側膨出部１０及び左側膨出部１１は、それぞれ、底壁５の上面に設けられ、底壁５の上面に連続している。図１に示すように、右側膨出部１０及び左側膨出部１１は、収納状態の電子体温計２における拡大部２ｅを幅方向Ｗの両側から挟持するように構成されている。右側膨出部１０及び左側膨出部１１は、収納状態の電子体温計２における拡大部２ｅの前後方向中間部に挟み込むように接することにより、摩擦力によって電子体温計２を保持することができる。右側膨出部１０は、前側に向けて左側に傾斜する傾斜面１０ａを有している。左側膨出部１１は、前側に向けて右側に傾斜する傾斜面１１ａを有している。傾斜面１０ａ及び傾斜面１１ａにより、電子体温計２を内部空間Ｓに収納する際に、収納状態で電子体温計２が配置される収納位置まで、電子体温計２をスムーズに案内することができる。また、収納状態の電子体温計２が幅方向Ｗにガタつかないように、保持位置を規制している。図７に示すように、天壁４は、右側膨出部１０及び左側膨出部１１を露出させるように配置されている。すなわち。右側膨出部１０及び左側膨出部１１は、上側開口１２を通じて上側から視認可能である。
【００３５】
収納ケース１は、天壁４の前端縁、右側壁６の上端縁、左側壁７の上端縁及び先端壁８の上端縁により、上側開口１２を形成している。収納ケース１は、底壁５の前端縁、右側壁６の下端縁、左側壁７の下端縁及び先端壁８の下端縁により、下側開口１３を形成している。収納状態の電子体温計２において、厚み方向Ｔにおいて、上側開口１２と下側開口１３との間に先端２ａが位置する。上側開口１２と下側開口１３とは幅方向Ｗにおいて略同一の幅となっている。上側開口１２は、下側開口１３に対して、長手方向Ｌの第二端側Ｌ２に向かって長くなっている。すなわち、上側開口１２は、下側開口１３よりも面積が大きい。
【００３６】
図３に示すように、底壁５における凸部４ａと対向する部分から底壁５の前端部までに亘る部分の上面は、右側膨出部１０と左側膨出部１１とを除く部分において、前側に向けて上側に傾斜している。底壁５の前端部の上面は、右側膨出部１０と左側膨出部１１とを除く部分において、前側に向けて下側に傾斜している。
【００３７】
図１１に示すように、収納ケース１は、収納ケース本体１ａ、磁性体（例えば磁石）１ｂ、シールド（例えば鋼板）１ｃ及び蓋１ｄで構成されている。天壁４、右側壁６、左側壁７、先端壁８、及び底壁５の一部は、収納ケース本体１ａの１部材で構成されている。底壁５の残りの一部は、磁性体１ｂ、シールド１ｃ及び蓋１ｄで構成されている。底壁５の下面には、第１凹部１４が形成されている。第１凹部１４の内部には、磁性体１ｂ及びシールド１ｃが配置される第２凹部１５が形成されている。磁性体１ｂは、電子体温計２に内蔵されたリードスイッチを介して電子体温計２の電源をＯＮ／ＯＦＦする。磁性体１ｂは、電子体温計２を収納位置に配置する際に電子体温計２の電源をＯＦＦし、電子体温計２を収納位置から除去する際に電子体温計２の電源をＯＮする。天壁４は収納状態の電子体温計２のディスプレイ２ｄを露出させるように配置されているので、患者又は医療従事者等の使用者等は、電子体温計２を収納した際に電子体温計２の電源がＯＦＦされたことを視認することができる。シールド１ｃは、第２凹部１５の内部で磁性体１ｂの下側に配置され、磁性体１ｂからの磁気の少なくとも一部を下側に対してシールドする。第１凹部１４は、その内部に磁性体１ｂと、シールド１ｃとを配置させた後、蓋１ｄで封止される。浸漬時に液体が第１凹部１４内に侵入することを防ぐために、エポキシ樹脂等による接着剤による接合、ポリウレタンやポリプロピレン、ＰＶＡを用いたホットメルト接着剤による接合、高周波溶着、レーザー溶着、超音波溶着等の任意の封止方法を採用できる。
【００３８】
収納ケース本体１ａ及び蓋１ｄは、それぞれ、硬質又は軟質の合成樹脂又はゴムを主材とする射出成形によって形成することができる。しかし、収納ケース本体１ａ及び蓋１ｄの材質及び製法は、これに限定されない。収納ケース本体１ａ及び蓋１ｄは、それぞれ、全体的又は部分的に透明であってもよく、全体的又は部分的に不透明であってもよく、全体的又は部分的に半透明であってもよい。収納ケース１の部材構成（部品点数）は、適宜変更が可能である。
【００３９】
収納ケース１が平面状の上面、下面及び両側面を有している。また、収納ケース１は長手方向Ｌと垂直な断面における輪郭形状が略直角４辺形状である。このため、使用者等は、多数個の電子体温計セット３を容易にまとめて持ち運ぶことができる。さらに、収納ケース１の周面の上下方向及び／又は左右方向に溝を設けることで、ヒモやゴムバンドで束ねやすくしてもよい。例えば、使用者等は、多数個の電子体温計セット３を上下方向及び左右方向に重ねて載置した状態で、カートで運搬することができる。その際、磁性体１ｂにシールド１ｃが設けられていることにより、隣接する電子体温計セット３同士の磁気の干渉による電源の誤作動の発生を抑制することができる。
【００４０】
電子体温計セット３は、浸漬による清浄化作業が可能である。例えば、使用者等は、有底筒状の容器の内部に、１つ又は複数の収納状態の電子体温計セット３を配置し、消毒液又は洗浄液等の液体を注ぎ、所定時間放置し、乾燥させることで、１組又は複数組の電子体温計２及び収納ケース１を一度に清浄化することができる。この際には、先端壁８の前面を容器の内部底面への接地面とすることができる。浸漬の際に先端壁８の前面を接地面とする場合には、医療従事者等は、液体を、例えばディスプレイ２ｄより鉛直下側となる部分まで注ぐ。しかし、浸漬の際には、先端壁８の前面、底壁５の下面、天壁４の上面、右側壁６の右側面、及び左側壁７の左側面のいずれを接地面としてもよい。
【００４１】
液体を注いだ際には、上側開口１２及び下側開口１３を通じて、液体をスムーズに内部空間Ｓに導入することができる。排液時には、液体をスムーズに内部空間Ｓから排出することができる。乾燥時には、上側開口１２及び下側開口１３を通じて、液体を速やかに蒸発させることができる。特に、上側開口１２及び下側開口１３は、電子体温計２の少なくとも先端２ａを露出しているので、使用時に測温部となる先端２ａを速やかに乾燥させることができる。洗浄後には、医療従事者等は、上側開口１２及び下側開口１３を通じて、電子体温計２の先端２ａが乾燥していることを視認することができる。その際には、先端２ａに損傷がないことも併せて視認することができる。しかし、収納ケース１と電子体温計２とを別々に清浄化することも、勿論可能である。
【００４２】
右側膨出部１０は、右側壁６及び底壁５から膨出しており、滑らかな表面形状を有している。また、左側膨出部１１は、左側壁７及び底壁５から膨出しており、滑らかな表面形状を有している。したがって、液体を注いだ際には、液体がこれらの滑らかな表面全体にスムーズに行き渡ることができ、また、乾燥時には、これらの滑らかな表面全体における速やかな乾燥が可能となる。清拭時にも、これらの滑らかな表面全体を容易に清拭することができる。
【００４３】
天壁４の凸部４ｂは、天壁４の前端４ａに沿う方向に滑らかな表面形状を有している。底壁５の上面における天壁４と対向する部分は、全面に亘って滑らかな表面形状を有している。したがって、液体を注いだ際には、液体がこれらの滑らかな表面全体にスムーズに行き渡ることができ、また、乾燥時には、これらの滑らかな表面全体における速やかな乾燥が可能となる。清拭時にも、これらの滑らかな表面全体を容易に清拭することができる。
【００４４】
収納ケース１内に電子体温計２をさらに確実に保持するために、底壁５の上面に、電子体温計２が長手方向Ｌの第二端側Ｌ２、つまり後側に移動することを規制するように収納状態の電子体温計２を係止する係止構造を設けることが好ましい。
【００４５】
係止構造の第１形態として、図１２〜図１４に示すように、凸状の係止部５ｄを、底壁５の底壁後部５ｃに設けることができる。底壁後部５ｃは、底壁５における、上面視で天壁４と底壁５とが重なる位置から後側に延在する部分である。底壁後部５ｃの上面における少なくとも１箇所に、電子体温計２の縮小部２ｇの下面と係合する係止部５ｄが設けられる。係止部５ｄは、底壁５のうち、上面視で天壁４と重なる位置よりも後側に位置する。すなわち、係止部５ｄは、電子体温計２の収納状態で、ディスプレイ２ｄよりも後側に位置する。係止部５ｄは、電子体温計２の形状に沿って、天壁４と重なる位置から後側に向かってなだらかに傾斜し、係止部５ｄにおける長手方向Ｌの第二端側Ｌ２の端部は、開口５ａになだらかに接続する。係止部５ｄは、長手方向Ｌと垂直な断面において凸状であり、その突出部分が縮小部２ｇの下面と面で接触する。係止部５ｄは、幅方向Ｗの中心を含むように配置される。係止部５ｄは、底壁５の幅方向Ｗの中心に対して左右対称な形状を有する。上面視で天壁４と底壁５とが重なる位置から後側に延在するように、電子体温計２と面で接触する凸状の係止部５ｄを設けることで、電子体温計２を、収納ケース１内に、安定して保持することができる。電子体温計２と面で接触する凸状の係止部５ｄによれば、電子体温計２の下面が平らである場合にも、収納ケース１内に電子体温計２を安定して保持できる。また、底壁後部５ｃに係止構造を設けることで、天壁４よりも前側の内部空間Ｓに面する部分には、内部空間Ｓに向かって局所的に突出するリブや突起部を設ける必要がなくなる。これにより、容易に内部の清拭又は浸漬等による消毒又は洗浄等の清浄化作業を行うことができるため好ましい。また、収納状態の電子体温計２及び収納ケース１の上面視において、係止部５ｄは電子体温計２と重なる大きさ、配置とするのが好ましい。より好ましくは、係止部５ｄの幅方向Ｗの長さは、電子体温計２の幅方向Ｗの長さより短い。なお、係止部５ｄは、底壁５の一部の厚みを増すことで形成してもよいし、底壁５の厚みを略一定のまま突出させることで形成してもよい。成型のしやすさを考慮すれば、図示のように底壁５の厚みを略一定のまま突出させることで形成するほうが好ましい。
【００４６】
係止構造の第２形態として、凸状の係止部５ｄを底壁後部５ｃに設ける代わりに、図１５〜図１７に示すように、底壁後部５ｃそのものを後側に向かって上側へ折り曲げた形状としてもよい。すなわち、底壁後部５ｃの後側に向かって上側へ傾斜する平らな上面を係止構造として用いてもよい。底壁後部５ｃの傾斜する平らな上面により、電子体温計２の下面が平らである場合にも、収納ケース１内に電子体温計２を安定して保持できる。図示するように、底壁後部５ｃの下面における開口５ａの周辺部分を底壁５における底壁後部５ｃより前側の部分の下面と同じ高さまで下方に突出させて接地部とした場合には、底壁５を接地部として載置したときに安定し易く、複数の収納ケース１を束ねたときにも、収まりよく扱いやすい。
【００４７】
係止構造の第２形態の変形例として、底壁後部５ｃの厚みを変えることで、底壁後部５ｃの上面そのものを後側に向かって上側へ傾斜する平らな上面とし、この上面を係止構造として用いてもよい。底壁後部５ｃの下面を、底壁後部５ｃより前側の部分の下面と面一にした場合には、底壁５を接地部として載置したときに安定し易く、複数の収納ケース１を束ねたときにも、収まりよく扱いやすい。
【００４８】
係止構造の第３形態として、底壁後部５ｃに係止構造を設ける代わりに、図１８及び図１９に示すように、幅方向Ｗと垂直な断面において凸状である係止部５ｄを、収納ケース１の上側から上側開口１２を通じて視認可能な位置に設けてもよい。この場合、係止部５ｄの位置は、上面視で天壁４と底壁５が重なる位置に近いほうが好ましい。係止部５ｄは、上側開口１２から視認可能なため、係止部５ｄの周囲が清潔か否かを確認しやすい。係止部５ｄを複数箇所に設ける場合には、全ての係止部５ｄを収納ケース１の上側から上側開口１２を通じて視認可能な位置に設ければよい。電子体温計２が収納ケース１に挿入されると、電子体温計２の下面に設けられた窪み２ｈが係止部５ｄに係合する。電子体温計２の窪み２ｈは、幅方向Ｗの中心に配置されるとともに左右対称の形状を有している。電子体温計２の窪み２ｈは、幅方向Ｗに長い略長方形状をなしている。窪み２ｈと係止部５ｄとの係合によって生じるクリック感により、使用者等は、電子体温計２が収納ケース１に正しく収納されたことを確認することもできる。
【００４９】
前述した実施形態は、本発明の実施形態の一例にすぎず、発明の要旨を逸脱しない範囲で種々変更可能であることはいうまでもない。
【００５０】
前述した実施形態では、収納ケース１及び電子体温計２は左右対称な形状となっている。しかし、収納ケース１及び電子体温計２は左右非対称な形状となっていてもよい。
【符号の説明】
【００５１】
１  電子体温計用収納ケース
１ａ  収納ケース本体
１ｂ  磁性体
１ｃ  シールド
１ｄ  蓋
２  電子体温計
２ａ  先端
２ｂ  先端部
２ｃ  ハウジング
２ｄ  ディスプレイ
２ｅ  拡大部
２ｆ  一定部
２ｇ  縮小部
２ｈ  窪み
３  電子体温計セット
４  天壁
４ａ  前端
４ｂ  凸部
４ｃ  角部
５  底壁
５ａ  開口
５ｂ  保持傾斜面
５ｃ  底壁後部
５ｄ  係止部
６  右側壁
７  左側壁
８  先端壁
９  挿入部
１０  右側膨出部
１０ａ  傾斜面
１１  左側膨出部
１１ａ  傾斜面
１２  上側開口
１３  下側開口
１４  第１凹部
１５  第２凹部
Ｓ  内部空間
Ｌ  長手方向
Ｌ１  長手方向の第一端側
Ｌ２  長手方向の第二端側
Ｗ  幅方向
Ｗ１  幅方向の第一端側
Ｗ２  幅方向の第二端側
Ｔ  厚み方向
Ｔ１  厚み方向の第一端側
Ｔ２  厚み方向の第二端側
【図１】
2020148546.tif 000003
【図２】
2020148546.tif 000004
【図３】
2020148546.tif 000005
【図４】
2020148546.tif 000006
【図５】
2020148546.tif 000007
【図６】
2020148546.tif 000008
【図７】
2020148546.tif 000009
【図８】
2020148546.tif 000010
【図９】
2020148546.tif 000011
【図１０】
2020148546.tif 000012
【図１１】
2020148546.tif 000013
【図１２】
2020148546.tif 000014
【図１３】
2020148546.tif 000015
【図１４】
2020148546.tif 000016
【図１５】
2020148546.tif 000017
【図１６】
2020148546.tif 000018
【図１７】
2020148546.tif 000019
【図１８】
2020148546.tif 000020
【図１９】
2020148546.tif 000021